(57)【要約】【課題】本発明は、中腰の作業をなくして、作業者の負担軽減を図ることを目的とする。【解決手段】本発明に係る同期台車によると、搬送されている車両に対して作業者が部品を組付ける車両組立ラインにおいて使用され、車両と同期して移動可能な同期台車であって、同期台車本体部１２と、同期台車本体部１２に折り畳み、あるいは展開可能な状態で装着されて、展開位置で作業者が着座して部品組付け作業を行えるように構成された椅子３０と、椅子３０に対して折り畳み方向に力を加える付勢機構と、椅子３０を前記付勢機構の力に抗して展開位置に保持する展開保持機構と、作業者の操作力を受けて展開保持機構の保持状態を解除できるロック解除機構６０とを有する。【選択図】図３
2014159192.tif 000002
【特許請求の範囲】
【請求項１】
搬送されている車両に対して作業者が部品を組付ける車両組立ラインにおいて使用され、前記車両と同期して移動可能な同期台車であって、
同期台車本体部と、
前記同期台車本体部に折り畳み、あるいは展開可能な状態で装着されて、展開位置で作業者が着座して部品組付け作業を行えるように構成された椅子と、
前記椅子に対して折り畳み方向に力を加える付勢機構と、
前記椅子を前記付勢機構の力に抗して展開位置に保持する展開保持機構と、
作業者の操作力を受けて展開保持機構の保持状態を解除できるロック解除機構と、
を有することを特徴とする同期台車。
【請求項２】
請求項１に記載された同期台車であって、
前記同期台車本体部に設けられており、前記車両に組付ける部品を載せた状態で、その同期台車本体部から手前に引き出せるように構成されたテーブルを備えており、
前記テーブルを引き出す動作を利用して前記椅子を折り畳み位置から展開できるように構成されていることを特徴とする同期台車。
【請求項３】
請求項１又は請求項２のいずれかに記載された同期台車であって、
前記ロック解除機構は、作業者が部品の組付けに使用した工具を工具ホルダに戻す操作により、展開保持機構の保持状態を解除できるように構成されていることを特徴とする同期台車。
【請求項４】
請求項１から請求項３のいずれかに記載された同期台車であって、
前記同期台車本体部は、上昇することで前記車両に連結される連結バーを備えており、
前記連結バーは、前記椅子が折り畳み位置から展開する動作と連動して上昇するように構成されていることを特徴とする同期台車。
【発明の詳細な説明】
【技術分野】
【０００１】
本発明は、搬送されている車両に対して作業者が部品を組付ける車両組立ラインにおいて使用され、前記車両と同期して移動可能な同期台車に関する。
【背景技術】
【０００２】
車両組立ラインにおいて使用される同期台車に関する技術が特許文献１に記載されている。
同期台車は、車両に組付ける部品と、その部品の組付けに使用される工具等とを運搬する台車であり、前記車両と同期して移動できるように構成されている。このため、作業者は前記車両の位置で同期台車から部品と工具とを受け取り、その工具を使用して車両に部品を組付けられるようになる。
【先行技術文献】
【特許文献】
【０００３】
【特許文献１】特開２００２−１１４１７９号
【発明の概要】
【発明が解決しようとする課題】
【０００４】
しかし、例えば、車両の低い位置に部品を組付ける作業においては、作業者が中腰になることが多く、作業者の負担が大きくなる。
【０００５】
本発明は、上記問題点を解決するためになされたものであり、本発明が解決しようとする課題は、同期台車を利用して中腰の作業をなくし、作業者の負担軽減を図ることである。
【課題を解決するための手段】
【０００６】
上記した課題は、各請求項の発明によって解決される。
請求項１の発明は、搬送されている車両に対して作業者が部品を組付ける車両組立ラインにおいて使用され、前記車両と同期して移動可能な同期台車であって、同期台車本体部と、前記同期台車本体部に折り畳み、あるいは展開可能な状態で装着されて、展開位置で作業者が着座して部品組付け作業を行えるように構成された椅子と、前記椅子に対して折り畳み方向に力を加える付勢機構と、前記椅子を前記付勢機構の力に抗して展開位置に保持する展開保持機構と、作業者の操作力を受けて展開保持機構の保持状態を解除できるロック解除機構とを有することを特徴とする。
【０００７】
本発明によると、作業者が付勢機構の力に抗して椅子を展開させることで、前記椅子が展開保持機構の働きで展開状態に保持される。このため、作業者は椅子に着座して車両に対して部品組付け作業を行えるようになる。したがって、車両の低い位置に部品を組付ける作業においても中腰になる必要がなくなり、作業者の負担軽減を図れるようになる。
さらに、作業終了後、ロック解除機構を操作して展開保持機構の保持状態を解除することで、椅子は付勢機構の力で折り畳まれるようになる。
【０００８】
請求項２の発明によると、同期台車本体部に設けられており、車両に組付ける部品を載せた状態で、その同期台車本体部から手前に引き出せるように構成されたテーブルを備えており、前記テーブルを引き出す動作を利用して椅子を折り畳み位置から展開できるように構成されていることを特徴とする。
このため、テーブルの引き出しと椅子の展開とを同時に行えるようになる。
【０００９】
請求項３の発明によると、ロック解除機構は、作業者が部品の組付けに使用した工具を工具ホルダに戻す操作により、展開保持機構の保持状態を解除できるように構成されていることを特徴とする。
このため、部品の組付け作業が終了した段階で、椅子を確実に折り畳めるようになる。
請求項４の発明によると、同期台車本体部は、上昇することで車両に連結される連結バーを備えており、前記連結バーは、前記椅子が折り畳み位置から展開する動作と連動して上昇するように構成されていることを特徴とする。
このため、連結バーを上昇させる動作が面倒にならない。
【発明の効果】
【００１０】
本発明によると、同期台車を利用することで中腰の作業がなくなり、作業者の負担軽減を図ることができる。
【図面の簡単な説明】
【００１１】
【図１】本発明の本実施形態１に係る同期台車の椅子の折り畳み状態、及びテーブルの格納状態を表す模式平面図である。
【図２】前記同期台車の椅子、及びテーブルの展開状態を表す模式斜視図である。
【図３】前記同期台車の椅子の折り畳み状態、及びテーブルの格納状態を表す模式斜視図である。
【図４】前記テーブルの格納と椅子の折り畳み動作と連結バーの下降動作の関係を表す模式図である。
【図５】椅子の折り畳み状態を表す斜視図である。
【図６】椅子の展開状態を表す斜視図である。
【図７】椅子に対して折り畳み位置方向に力を加える付勢機構の斜視図である。
【図８】ロック解除機構の工具ホルダ部及びロック解除レバーの側面図（Ａ図）、展開保持機構のロックレバー等の側面図（Ｂ図）、Ｂ図のＣ−Ｃ矢視図（Ｃ図）である。
【発明を実施するための形態】
【００１２】
［実施形態１］
以下、図１〜図８に基づいて本発明の実施形態１に係る同期台車について説明する。本実施形態に係る同期台車１０は、所定高さ位置で定速搬送されている車両（図示省略）に対して作業者が中腰の高さで部品を組付ける車両組立ラインにおいて使用される同期台車である。
なお、図中の前後左右、及び上下は、同期台車１０の前後左右、及び上下に対応している。
【００１３】
＜同期台車１０の概要について＞
同期台車１０は、図１〜図３に示すように、搬送されている車両（図示省略）と同期して移動できるように構成された同期台車本体部１２を備えている。同期台車本体部１２は、角形フレーム状に形成された台車であり、その同期台車本体部１２の四隅の位置に車輪１３が装着されている。また、前記同期台車本体部１２には、その同期台車本体部１２の右側後部に折り畳まれた状態で椅子３０が装着されており、その椅子３０の近傍に上下動可能な状態で前記車両と同期台車本体部１２とを連結するための連結バー４０が設けられている。さらに、同期台車本体部１２の内側には、前記車両に組付ける部品、及び電動工具Ｍを収納するテーブル２０が手前（右側）に引き出し可能な状態で収納されている。
【００１４】
＜椅子３０について＞
椅子３０は、展開した状態で作業者が着座し、同期台車本体部１２と共に車両と同期して移動できるように構成されている。即ち、作業者は椅子３０に着座した状態で車両に対する部品組付け作業を行うことができるようになる。椅子３０は、図５、図６に示すように、同期台車本体部１２のフレームから後方に張り出す水平支持軸１２５に対して上下回動可能な状態で連結されている。水平支持軸１２５は、作業者が着座する高さ位置に設けられており、その水平支持軸１２５が、図５に示すように、椅子３０の前後の左脚を構成する枠状の左脚部３６によって支持されている。ここで、前記左脚部３６の下端には車輪３６ｓが装着されている。
椅子３０は、角板状に形成された着座部３２を備えており、その着座部３２の基端部（左端部）の位置に、図６、図７等に示すように、前側軸受３２ｘと後側軸受３２ｙとが設けられている。そして、着座部３２の前側軸受３２ｘと後側軸受３２ｙとに同期台車本体部１２の水平支持軸１２５が相対回動自在な状態で通されている。このため、椅子３０の着座部３２は、同期台車本体部１２の水平支持軸１２５を中心にして上下回動が可能になる。
【００１５】
椅子３０の着座部３２の右端（回動自由端）には、図５、図６に示すように、椅子３０の前後の右脚を構成する枠状の右脚部３４が上下回動可能な状態で連結されている。また、右脚部３４の下端には左脚部３６と同様に車輪３４ｓが装着されている。ここで、椅子３０の右脚部３４は、前記左脚部３６と等しいサイズで形成されている。このため、着座部３２が同期台車本体部１２の水平支持軸１２５を中心に下回動し、右脚部３４の車輪３４ｓが床面に当接した状態で、前記着座部３２は水平に保持されて作業者が着座できるようになる。また、着座部３２上には、図６等に示すように、その後端位置に作業者が安全に着座できるように背もたれ枠３２ｂが設けられている。
さらに、着座部３２の左端側には、図７等に示すように、前側軸受３２ｘの位置から左方向に張り出す折り畳み用レバー３３が設けられている。そして、折り畳み用レバー３３の側面に折り畳み用ワイヤー３７が連結される引き止め部３３ｘが設けられている。
【００１６】
折り畳み用ワイヤー３７は、図４、図７に示すように、その折り畳み用ワイヤー３７の途中位置が同期台車本体部１２のフレーム下端に設けられた下部滑車３８ｄと、前記フレーム上端に設けられた上部滑車３８ｕとに掛けられている。そして、折り畳み用ワイヤー３７の下部滑車３８ｄ側の端部（基端部）が着座部３２の折り畳み用レバー３３の引き止め部３３ｘに連結されている。また、折り畳み用ワイヤー３７の上部滑車３８ｕ側の端部（先端部）が重り３９に連結されている。これにより、重り３９の重量で着座部３２の折り畳み用レバー３３が引き下げられ、着座部３２が同期台車本体部１２の水平支持軸１２５を中心にして上方に回動し（図４の二点鎖線参照）。これにより、椅子３０が重り３９の重量に起因する力で折り畳まれるようになる（図５参照）。また、後記するように、前記重り３９が引き上げられると折り畳み用ワイヤー３７が弛み、着座部３２が自重と右脚部３４との重量による力で同期台車本体部１２の水平支持軸１２５を中心にして下方に回動し、椅子３０が展開するようになる（図６参照）。
さらに、重り３９には、図４に示すように、連結バー４０がその重り３９と共に昇降できるように連結されている。
即ち、重り３９、折り畳み用ワイヤー３７、及び下部滑車３８ｄ、上部滑車３８ｕが本発明における椅子に対して折り畳み方向に力を加える付勢機構に相当する。
【００１７】
＜テーブル２０について＞
テーブル２０は、図１〜図３等に示すように、角形枠状のテーブル本体部２２を備えており、そのテーブル本体部２２の角部に上部軸受２４が縦向きに固定されている。そして、テーブル２０の上部軸受２４に、図３等に示すように、同期台車本体部１２の回転中心縦軸１２１の上部が相対回転可能な状態で挿通されている。これにより、テーブル本体部２２は、同期台車本体部１２の回転中心縦軸１２１の回りを水平回動が可能になり、図１に示すように、同期台車本体部１２に格納される格納位置から図２に示す使用位置まで手前に引き出せるようになる。
また、同期台車本体部１２の回転中心縦軸１２１は、図３に示すように、その回転中心縦軸１２１の下部が下部軸受２６に挿通されており、その下部軸受２６とテーブル本体部２２の回動自由端側が斜め支持棒２７によって連結されている。即ち、テーブル本体部２２の回動自由端側は、下部軸受２６と斜め支持棒２７とによって下方から支えられている。
【００１８】
テーブル本体部２２は、長辺部２２ｅと短辺部２２ｓとからなる長方形状に形成されており、図３に示すように、回動自由端側の短辺部２２ｓに作業者がテーブル本体部２２を引き出す際に把持する手摺部２２ｚが設けられている。さらに、テーブル本体部２２には、上部軸受２４側の長辺部２２ｅの近傍に車両に組付ける部品を収納するための容器２２ｙが設けられている。
また、テーブル本体部２２の容器２２ｙと反対側の長辺部２２ｅには、図１、図２に示すように、引き止め金具２２ｋが設けられており、その引き止め金具２２ｋに重り引き上げ機構５０の引き上げワイヤー５２が連結されている。
重り引き上げ機構５０は、テーブル本体部２２を、図１に示すように、同期台車本体部１２に格納される格納位置から図２に示す使用位置まで引き出す力を利用して、椅子３０の折り畳みに使用される重り３９を引き上げる機構である。重り引き上げ機構５０は、図４に示すように、テーブル本体部２２の回動動作を重り３９に伝える引き上げワイヤー５２と、同期台車本体部１２のフレームに取付けられて、引き上げワイヤー５２が掛けられる複数の滑車５４とから構成されている。そして、引き上げワイヤー５２の一端がテーブル本体部２２の引き止め金具２２ｋに連結されており、引き上げワイヤー５２の他端が重り３９に連結されている。このため、テーブル本体部２２を同期台車本体部１２の格納位置から使用位置まで引き出すことで（図２参照）、引き上げワイヤー５２が引っ張られ、重り３９が引き上げられるようになる。この結果、前述のように、椅子３０が展開される。
このため、テーブル本体部２２には、重り引き上げ機構５０の引き上げワイヤー５２を介して、常に、格納位置方向に重りの３９の重量に起因する引っ張り力が加わるようになる。
【００１９】
＜展開保持機構７０について＞
テーブル２０の下部軸受２６と同期台車本体部１２のフレーム間には、テーブル本体部２２が、図２に示すように、使用位置まで引き出された状態で、テーブル本体部２２を重り３９の重量に抗して使用位置に保持し、これにより椅子３０を展開位置に保持する展開保持機構７０が設けられている。
展開保持機構７０は、図８（Ｂ）に示すように、テーブル２０の下部軸受２６に設けられて、テーブル本体部２２と共に回動できるように構成されたロックレバー７２を備えている。ロックレバー７２は横棒状に形成されており、そのロックレバー７２の基端部がテーブル２０の下部軸受２６の側面に上下回動可能な状態で連結されている。ロックレバー７２は、水平なロック位置と先端側が高くなるように傾斜したロック解除位置間を回動できるように構成されており、バネ（図示省略）の力で水平なロック位置に保持されている。さらに、ロックレバー７２の上側面には引き止め金具７２ｘが設けられている。そして、ロックレバー７２の引き止め金具７２ｘにそのロックレバー７２を前記バネの力に抗して上方に回動させるロック解除機構６０（後記する）のロック解除ワイヤー６７が連結されている。
同期台車本体部１２には、図８（Ｂ）に示すように、所定位置に前後方向に延びる水平中心軸１２７が設けられており、その水平中心軸１２７に略横Ｌ字形の鉤部１２７ｋが設けられている。そして、テーブル本体部２２が、図２に示すように、使用位置まで引き出された状態で、展開保持機構７０のロックレバー７２の先端部が、図８（Ｂ）（Ｃ）に示すように、前記バネの力で同期台車本体部１２の鉤部１２７ｋと係合し、テーブル本体部２２が重り３９の重量に抗して使用位置に保持される。
【００２０】
＜ロック解除機構６０について＞
ロック解除機構６０は、展開保持機構７０によるテーブル本体部２２の使用位置保持状態、及び椅子３０の展開状態を解除するための機構である。ロック解除機構６０は、図８（Ａ）等に示すように、テーブル本体部２２の回動自由端側に設けられたロック解除レバー６２を備えている。ロック解除レバー６２は、先端部に電動工具Ｍを収納する工具ホルダ６２ｈを備えるレバーであり、長手方向における途中位置に横向きの軸受部６２ｊが設けられている。そして、ロック解除レバー６２の軸受部６２ｊにテーブル本体部２２の支持軸６３が相対回動可能な状態で挿通されている。即ち、ロック解除レバー６２は支持軸６３を中心に上下回動可能な状態でテーブル本体部２２に装着されている。
また、ロック解除レバー６２の工具ホルダ６２ｈと軸受部６２ｊとの間にはバネ受け６２ｂが設けられており、そのバネ受け６２ｂとテーブル本体部２２のフレーム２２ｆ間にコイルバネ６４が装着されている。コイルバネ６４は、ロック解除レバー６２の工具ホルダ６２ｈを上方に引き上げて、ロック解除レバー６２を水平に保持できるように付勢されている。
【００２１】
さらに、ロック解除レバー６２の基端部、即ち、工具ホルダ６２ｈの反対側には引き止め金具６２ｘが取付けられており、その引き止め金具６２ｘにロック解除ワイヤー６７の一端が連結されている。そして、上記したように、ロック解除ワイヤー６７の他端が、図８（Ｂ）に示すように、展開保持機構７０のロックレバー７２の引き止め金具７２ｘに連結されている。ロック解除ワイヤー６７は、テーブル本体部２２のフレームに取付けられた複数の滑車５４に掛けられて張られた状態に保持されている。
上記構成により、作業者が電動工具Ｍをロック解除レバー６２の工具ホルダ６２ｈに戻し、コイルバネ６４のバネ力に抗して工具ホルダ６２ｈを押し下げると、ロック解除レバー６２が、図８（Ａ）において左回動してそのロック解除レバー６２の引き止め金具６２ｘが引き上げられる。これにより、ロック解除ワイヤー６７がロック解除レバー６２に引っ張られ、展開保持機構７０のロックレバー７２をバネの力に抗して上方に引き上げる（図８（Ｂ）の二点鎖線参照）。これにより、展開保持機構７０のロックレバー７２の先端が同期台車本体部１２の鉤部１２７ｋから外れ、テーブル本体部２２は重り３９の重量に起因する引っ張り力で同期台車本体部１２に格納される方向に移動（図２において左回動）できるようになる。
【００２２】
＜同期台車１０の動作について＞
次に、車両組立ラインにおける同期台車１０の動作について説明する。
同期台車１０を使用する際には、図１、図３に示すように、椅子３０は重り３９、折り畳み用ワイヤー３７等の付勢機構の働きで折り畳み位置に保持されている。また、テーブル２０のテーブル本体部２２は、重り３９、引き上げワイヤー５２等の働きで同期台車本体部１２に格納された位置（格納位置）に保持されている。さらに、連結バー４０は、重り３９と共に下限位置に保持されている。
この状態で、作業者は同期台車本体部１２を車両の下まで移動させ、テーブル本体部２２の手摺部２２ｚを持ってテーブル本体部２２を手前に引き出す。即ち、テーブル本体部２２を図１に示す格納位置から回転中心縦軸１２１の回りに右回動させる。これにより、重り引き上げ機構５０の引き上げワイヤー５２がテーブル本体部２２によって引っ張られ、重り３９が引き上げられる。
そして、テーブル本体部２２が図２に示す使用位置まで約90°右回動すると、テーブル本体部２２に設けられた展開保持機構７０のロックレバー７２が、図８（Ｂ）（Ｃ）に示すように、同期台車本体部１２の鉤部１２７ｋと係合する。これにより、テーブル本体部２２は重り３９の重量に起因する引き上げワイヤー５２の引っ張り力に抗して図２に示す使用位置に保持される。
さらに、テーブル本体部２２が使用位置まで約90°右回動することで、重り３９が上限位置まで引き上げられる。この結果、重り３９と共に連結バー４０が上限位置まで上昇し、その連結バー４０の上端部が前記車両と係合するようになる。これにより、同期台車本体部１２は前記車両と同期して移動するようになる。
【００２３】
さらに、重り３９が上昇する過程で、図４に示す椅子３０の折り畳み用ワイヤー３７が弛められ、椅子３０の着座部３２と折り畳み用レバー３３とが着座部３２の自重、及び右脚部３４等の重量で水平支持軸１２５を中心に下方に回動（右回動）する。即ち、前記重り３９が上昇する過程で椅子３０が展開されるようになる。そして、重り３９が上限位置まで上昇する前に、椅子３０の右脚部３４の車輪３４ｓが床面に当接して、図６に示すように、椅子３０が完全に展開する。
即ち、テーブル本体部２２を使用位置に保持する展開保持機構７０が椅子３０を展開位置に保持する本発明の展開保持機構として機能する。
次に、この状態で、作業者は、椅子３０に着座し、テーブル２０（テーブル本体部２２）の容器２２ｙから部品を取り、テーブル本体部２２の工具ホルダ６２ｈから電動工具Ｍを取って、前記車両に対して前記部品の組付け作業を行う。
そして、作業終了後、立ち上がって電動工具Ｍを工具ホルダ６２ｈに戻し、その工具ホルダ６２ｈを下方に押圧する。
【００２４】
これにより、ロック解除機構６０のロック解除レバー６２がロック解除ワイヤー６７を引っ張り、図８（Ｂ）に示すように、ロック解除ワイヤー６７が展開保持機構７０のロックレバー７２をバネの力に抗して上方に引き上げる。この結果、展開保持機構７０のロックレバー７２の先端が同期台車本体部１２の鉤部１２７ｋから外れる。即ち、展開保持機構７０のテーブル保持状態が解除され、テーブル本体部２２は重り３９の重量に起因する引っ張り力で同期台車本体部１２に格納される方向に移動（図２において左回動）する。
また、重り３９が下降することで連結バー４０が下降し、その連結バー４０と前記車両との係合が解除される。
さらに、重り３９が下降することで、図４に示すように、折り畳み用ワイヤー３７を介して椅子３０の折り畳み用レバー３３が下方に引っ張られ、椅子３０の着座部３２が同期台車本体部１２の水平支持軸１２５を中心にして上方向に回動する。これにより、椅子３０が重り３９の重量に起因する力で折り畳まれて、一連の作業が終了する。
【００２５】
＜本実施形態に係る同期台車１０の長所について＞
本発明に係る同期台車１０によると、作業者が付勢機構（重り３９等）の力に抗して椅子３０を展開させることで、椅子３０が展開保持機構７０の働きで展開状態に保持される。このため、作業者は椅子３０に着座して車両に対して部品組付け作業を行えるようになる。したがって、車両の低い位置に部品を組付ける作業においても中腰になる必要がなくなり、作業者の負担軽減を図れるようになる。
さらに、作業終了後、ロック解除機構６０を操作して展開保持機構７０の保持状態を解除することで、椅子３０は付勢機構（重り３９等）の力で折り畳まれるようになる。
また、テーブル２０（テーブル本体部２２）を引き出す動作を利用して椅子３０を展開できるように構成されているため、テーブル２０の引き出しと椅子３０の展開とを同時に行えるようになる。
また、ロック解除機構６０は、作業者が部品の組付けに使用された電動工具Ｍを工具ホルダ６２ｈに戻す操作により、展開保持機構７０の保持状態を解除できるように構成されている。このため、部品の組付け作業が終了した段階で、椅子３０を確実に折り畳めるようになる。
また、連結バー４０は、椅子３０が展開する動作と連動して上昇するように構成されているため、連結バー４０を上昇させる動作が面倒にならない。
【００２６】
＜変更例＞
ここで、本発明は上記実施形態に限定されるものではなく、本発明の要旨を逸脱しない範囲における変更が可能である。例えば、本実施形態では、テーブル本体部２２を格納位置から使用位置まで引き出す動作により、引き上げワイヤー５２を介して重り３９を引き上げ、椅子３０を展開させる例を示した。しかし、テーブル本体部２２を自重で格納位置から使用位置まで回動できる構成にすれば、椅子３０を展開させる動作により重り３９を引き上げ、引き上げワイヤー５２を弛めることで、テーブル本体部２２を格納位置から使用位置まで回動させることができるようになる。
さらに、本実施形態では、重り３９を使用する例を示したが、重り３９の代わりにバネを使用することも可能である。
【００２７】
＜追加クレーム案＞
１）  請求項１に記載された同期台車であって、
前記同期台車本体部に設けられており、前記車両に組付ける部品を載せた状態で、その同期台車本体部から手前に引き出せるように構成されたテーブルを備えており、
前記テーブルを引き出す動作を利用して、前記椅子に対して折り畳み方向に力を加える付勢機構の重りを引き上げ、前記椅子を折り畳み位置から展開できるように構成されていることを特徴とする同期台車。
２）  請求項１又は請求項２のいずれかに記載された同期台車であって、
前記椅子を前記付勢機構の力に抗して展開位置に保持する展開保持機構は、前記テーブルのロックレバーと前記同期台車本体部の鉤部とを備え、前記ロックレバーが前記鉤部と係合することで前記テーブルを引き出し位置に保持して前記椅子を展開状態にする構成であり、
前記ロック解除機構は、作業者が部品の組付けに使用した工具を工具ホルダに戻す操作により、前記ロックレバーと前記鉤部の係合を解除して前記展開保持機構の保持状態を解除できるように構成されていることを特徴とする同期台車。
３）  請求項１から請求項３のいずれかに記載された同期台車であって、
前記同期台車本体部は、上昇することで前記車両に連結される連結バーを備えており、
前記連結バーは、前記テーブルを引き出す動作により前記付勢機構の重りと共に引き上げられることで、前記椅子が折り畳み位置から展開する動作と連動して上昇するように構成されていることを特徴とする同期台車。
【符号の説明】
【００２８】
１２・・・・・同期台車本体部
２０・・・・・テーブル
２２・・・・・テーブル本体部
３０・・・・・椅子
３７・・・・・折り畳み用ワイヤー（付勢機構）
３９・・・・・重り（付勢機構）
４０・・・・・連結バー
６０・・・・・ロック解除機構
６２・・・・・ロック解除レバー
６２ｈ・・・・工具ホルダ
７０・・・・・展開保持機構
７２・・・・・ロックレバー
１２７ｋ・・・鉤部
Ｍ・・・・・・電動工具（工具）
【図１】
2014159192.tif 000003
【図２】
2014159192.tif 000004
【図３】
2014159192.tif 000005
【図４】
2014159192.tif 000006
【図５】
2014159192.tif 000007
【図６】
2014159192.tif 000008
【図７】
2014159192.tif 000009
【図８】
2014159192.tif 000010